(57)【要約】【課題】靴下の足裏部分に弛みが生じるのを防ぎ、履物を履いたときに足の裏に違和感や異物感を覚えることのない滑り止め靴下を提供する。【解決手段】靴下本体２の爪先部分５から履口６にわたる範囲の足表側３の全体を、綿の混紡糸８を用いて編み上げ、前記靴下本体２の爪先部分５から踵部分７にわたる範囲の足裏側４の全体を、摩擦係数の高い糸９で編み上げた。【選択図】図１
0003167965.tif 000002
【実用新案登録請求の範囲】
【請求項１】
靴下本体の爪先部分から踵部分にわたる範囲の足裏側全体を、摩擦係数の高い糸を用いて編み上げた滑り止め靴下。
【請求項２】
上記靴下本体の爪先部分から履口にわたる範囲の足表側全体と履口部分を、綿の混紡糸を用いて編み上げ、前記靴下本体の爪先部分から踵部分にわたる範囲の足裏側全体を、摩擦係数の高いウレタン系の糸で編み上げた請求項１に記載の滑り止め靴下。
【考案の詳細な説明】
【技術分野】
【０００１】
この考案は、足裏側全体における内外面の両方に滑り止め機能を得ることができるようにした滑り止め靴下に関する。
【背景技術】
【０００２】
靴下を足に着用した状態で、木質等の床面との間で滑りが生じないようにしたり、履物を履いたときに履物との間で滑りが生じないようにするため、足裏側に滑り止め機能を施した滑り止め靴下が提案されている。
【０００３】
従来の滑り止め靴下としては、編み上げた靴下の足裏部分における外側面に、ゴム等の滑り止め材を塗布したもの（例えば、特許文献１参照）と、靴下の編製時に足裏側の爪先部分と踵部分を摩擦係数の高い糸で編み上げたもの（例えば、特許文献２参照）が知られている。
【先行技術文献】
【特許文献】
【０００４】
【特許文献１】特開２００２−２６６１０５号公報
【特許文献２】特開２００７−１６２１４９号公報
【考案の概要】
【考案が解決しようとする課題】
【０００５】
ところで、靴下の足裏部分における外側面にゴム等の滑り止め材を塗布した滑り止め靴下は、床面や履物に対して滑り止め効果が得られるが、靴下を履いたときの足の下面と靴下の足裏部分の間には滑り止め効果はなく、このため、靴下に対して足が滑る事態が発生し、足に対して靴下がずれ動くという問題がある。
【０００６】
更に、足裏部分にゴム等の滑り止め材を塗布すると、足裏部分が分厚くなると同時に靴下の持つ柔軟感がなくなり、履き心地が低下するという問題がある。
【０００７】
また、足裏側の爪先部分と踵部分を摩擦係数の高い糸で編み上げた靴下は、履き心地の低下を防ごうとするものであるが、足裏部分の爪先部分と踵部分の間に全く滑り止め機能がない部分が生じ、足裏部分の滑り止め機能が不均一になり、靴下を履いたときに爪先部分と踵部分の滑り止機能がない部分に弛みが生じやすく、爪先部分と踵部分の滑り止め機能が働くことにより、履物を履いた状態でこの弛みが自然には修正されないことになり、このため、履物を履いたときに足の裏に違和感や異物感を覚えるという問題がある。
【０００８】
そこで、この考案の課題は、足裏部分で内外両面の全体に均一な滑り止め機能を付与することにより、足裏部分に弛みが生じるのを防ぎ、履物を履いたときに足の裏に違和感や異物感を覚えることのない滑り止め靴下を提供することにある。
【課題を解決するための手段】
【０００９】
上記の課題を解決するため、この考案は、靴下本体の爪先部分から踵部分にわたる範囲の足裏側全体を、摩擦係数の高い糸を用いて編み上げたものである。
【００１０】
上記靴下本体の爪先部分から履口にわたる範囲の足表側全体と履口部分を、綿の混紡糸を用いて編み上げ、前記靴下本体の爪先部分から踵部分にわたる範囲の足裏側全体を、摩擦係数の高いウレタン系の糸で編み上げた構造とすることができる。
【００１１】
ここで、上記靴下本体は、筒編機等を用い、全体を筒状に編み上げるとき、綿とウーリーナイロンの混紡糸とウレタンを細いナイロンでカバーリングした摩擦係数の高い糸を使用し、靴下本体の足表側全体と履口部分を前記混紡糸で、足裏側の爪先部分から踵部分にわたる範囲全体を摩擦係数の高い糸で同時に編み上げ、爪先部分と踵部分を編合処理することにより滑り止め靴下が完成する。
【００１２】
上記した摩擦係数の高いウレタン系の糸で形成された爪先部分から踵部分にわたる範囲の足裏側全体は、内外面のいずれにおいても滑り止め機能があり、靴下を着用したときに足の裏と靴下の足裏側全体とは滑り止め状態となり、また、靴下の着用状態で履物を履いたときには、靴下の足裏側全体と履物との間において滑り止め状態が得られる。
【考案の効果】
【００１３】
この考案によると、靴下本体の爪先部分から踵部分にわたる範囲の足裏側全体を、摩擦係数の高い糸を用いて編み上げたので、足裏側における内外両面の全体に均一な滑り止め機能が得られることになり、靴下は足裏側内面の全体が足の裏に対して滑り止め状態となり、また、靴下の足裏側外面の全体が履物や床面に対して滑り止め状態となり、これにより、足裏側の滑り止め機能が均一になり、爪先部分と踵部分が接近することによる足裏側の弛み発生をなくすことができ、履物を履いたときに足の裏に違和感や異物感を与えることがなく、快適な履用感を得ることができる。
【図面の簡単な説明】
【００１４】
【図１】この考案に係る滑り止め靴下の正面図
【考案を実施するための形態】
【００１５】
以下、この考案の実施の形態を図示例に基づいて説明する。
【００１６】
図示のように、この考案の滑り止め靴下１は、筒編み機を用いて筒状に編製した靴下本体２の足表側３と足裏側４の一端が爪先部分５で他端側がゴム編みの履口６となり、この履口６の下部が踵部分７になっている。
【００１７】
上記靴下本体２の足表側３と履口６は、例えば、綿とウーリーナイロンの混紡糸８を用い、足裏側４の爪先部分５から踵部分７にわたる全長は、例えば、２８０〜５６０番手のウレタンを細いナイロンでカバーリングした摩擦係数の高い糸９を使用している。
【００１８】
靴下本体２を筒編み機で編み上げるとき、使用する材料の糸に、前記混紡糸８と摩擦係数の高い糸９の二種類を使用し、靴下本体２の足表側３の全体と履口部分６を前記混紡糸８で、足裏側４の爪先部分５から踵部分７にわたる範囲全体を摩擦係数の高い糸９で同時に編み上げる。
【００１９】
上記爪先部分５と踵部分７は、それぞれの該当部分を目飛ばししておき、目飛ばしした部分を爪先部分又は踵部分に仕上げるとき、使用する糸に摩擦係数の高い糸を用いるようにする。
【００２０】
このように、靴下本体２の足裏側４における爪先部分５と踵部分７の間の全長を摩擦係数の高い糸９を用いて編製することにより、前記足裏側４は内面側の全長と外面側の全長の両方において滑り止め機能が得られることになる。
【００２１】
なお、上記靴下本体２における爪先部分５の平面形状は、図示のような円弧状爪先に限るものではなく、親指側から小指側に向けて踵寄りに下がり傾斜となるようにしたり、親指から小指までの五指に分離した形状、親指だけを分離した形状を採用することができる。
【００２２】
この考案の滑り止め靴下１は、上記のような構成であり、靴下本体２の足裏側４で爪先部分５から踵部分７の間における全長を、摩擦係数の高い糸９を用いて編み上げてあるので、足裏側４の全長における内面と外面のいずれにおいても滑り止め機能が得られることになる。
【００２３】
このような滑り止め靴下１を着用すると、足の下面全体に対して、これに接触する靴下本体２の足裏側４は内面の全面が滑り止め状態となり、また、歩行したり履物を履いた場合は、床面や履物に対して足裏側４の外面の全面が滑り止め状態となり、このため、靴下本体２の足裏側４は内外両面の全面において滑り止めが得られる。
【００２４】
従って、靴下本体２の足裏側４は足の下面全体に対して位置ずれの発生がなく、このため、足の下面に対して足裏側４がずれ動くことがなく、爪先部分５と踵部分７の途中部分が皺や弛みになって足の下面に異物感を与えるようなことがないと共に、床面や履物に対しても足裏側４の全面が滑り止めとなるので、歩行時の安全性の向上が図れると同時に、爪先部分５と踵部分７の途中部分に皺を生じさせることがなく、履き心地の低下発生がないという効果がある。
【符号の説明】
【００２５】
１          滑り止め靴下
２          靴下本体
３          足表側
４          足裏側
５          爪先部分
６          履口
７          踵部分
８          混紡糸
９          摩擦係数の高い糸
【図１】
0003167965.tif 000003